(57)【要約】【課題】端子と相手端子との導通不良を防止でき、ハウジング同士の嵌合状態の検知性を向上することができる嵌合検知コネクタを提供する。【解決手段】一対の接触部３，３が設けられた端子５と、この端子５を収容する第１ハウジング７と、この第１ハウジング７に嵌合可能な第２ハウジング９と、この第２ハウジング９に収容され第１ハウジング７と第２ハウジング９との正規嵌合状態で一対の接触部３，３に接触される被接触部１１，１１がそれぞれ設けられた一対の相手端子１３，１３とを備えた嵌合検知コネクタ１において、一方の相手端子１３の被接触部１１に、一対の相手端子１３，１３の被接触部１１，１１が一対の接触部３，３に接触される前に、第１ハウジング７と第２ハウジング９との嵌合により一対の接触部３，３と摺動する摺動部１５を設けた。【選択図】図４
2014229462.tif 000002
【特許請求の範囲】
【請求項１】
一対の接触部が設けられた端子と、この端子を収容する第１ハウジングと、この第１ハウジングに嵌合可能な第２ハウジングと、この第２ハウジングに収容され前記第１ハウジングと前記第２ハウジングとの正規嵌合状態で前記一対の接触部に接触される被接触部がそれぞれ設けられた一対の相手端子とを備えた嵌合検知コネクタであって、
前記一対の相手端子の被接触部のうち一方には、前記一対の相手端子の被接触部が前記一対の接触部に接触される前に、前記第１ハウジングと前記第２ハウジングとの嵌合により前記一対の接触部と摺動する摺動部が設けられていることを特徴とする嵌合検知コネクタ。
【請求項２】
請求項１記載の嵌合検知コネクタであって、
前記一対の相手端子の被接触部は、前記第１ハウジングと前記第２ハウジングとの嵌合方向と直交する方向に並列に配置され、
前記摺動部は、他方の相手端子の被接触部より前記第１ハウジングと前記第２ハウジングとの嵌合方向の前側に位置されていることを特徴とする嵌合検知コネクタ。
【請求項３】
請求項１又は２記載の嵌合検知コネクタであって、
前記端子には、前記一対の接触部が設けられ前記一対の接触部を付勢力によって前記一対の相手端子の被接触部に接触させる弾性片が設けられ、
前記第１ハウジングと前記第２ハウジングとのうち少なくとも一方には、前記第１ハウジングと前記第２ハウジングとが正規嵌合状態となるまでの間に前記弾性片の付勢力に抗して前記弾性片を変位させる変位部が設けられていることを特徴とする嵌合検知コネクタ。
【発明の詳細な説明】
【技術分野】
【０００１】
本発明は、嵌合検知コネクタに関する。
【背景技術】
【０００２】
従来、嵌合検知コネクタとしては、一対の接触部としての摺動部が設けられた端子としての可動金具と、この可動金具を収容する第１ハウジングとしての雌側コネクタハウジングと、この雌側コネクタハウジングに嵌合可能な第２ハウジングとしての雄側コネクタハウジングと、この雄側コネクタハウジングに収容され雌側コネクタハウジングと雄側コネクタハウジングとの正規嵌合状態で一対の摺動部に接触される接続面がそれぞれ設けられた一対の相手端子としての待ち受け金具とを備えたものが知られている（例えば、特許文献１参照）。
【０００３】
この嵌合検知コネクタでは、雌側コネクタハウジングと雄側コネクタハウジングとを嵌合させ、可動金具の一対の摺動部と一対の待ち受け金具の接続面との接触により雌側コネクタハウジングと雄側コネクタハウジングとの正規嵌合状態を検知することができる。
【０００４】
上記特許文献１の嵌合検知コネクタでは、雌側コネクタハウジングと雄側コネクタハウジングとの正規嵌合位置で、可動金具を一対の待ち受け金具の接続面に対して横切り動作させることにより、一対の摺動部を一対の待ち受け金具の接続面に摺動させている。
【０００５】
この一対の摺動部と一対の待ち受け金具の接続面との摺動により、一対の摺動部の表面に付着したゴミや表面に形成された酸化皮膜などを除去し、可動金具と待ち受け金具との導通不良を防止している。
【先行技術文献】
【特許文献】
【０００６】
【特許文献１】特開平８−２２８７３号公報
【発明の概要】
【発明が解決しようとする課題】
【０００７】
しかしながら、上記特許文献１のような嵌合検知コネクタでは、一対の相手端子の被接触部に対して一対の接触部をそれぞれ摺動させているので、ハウジング同士が正規嵌合状態となっていない場合にも、端子を介して一対の相手端子が導通されてしまう。
【０００８】
このため、一対の接触部の表面に付着したゴミや表面に形成された酸化皮膜などの不純物を除去して端子と相手端子との導通不良を防止することができるが、ハウジング同士の嵌合状態を正確に検知することができない恐れがあった。
【０００９】
そこで、この発明は、端子と相手端子との導通不良を防止でき、ハウジング同士の嵌合状態の検知性を向上することができる嵌合検知コネクタの提供を目的としている。
【課題を解決するための手段】
【００１０】
請求項１記載の発明は、一対の接触部が設けられた端子と、この端子を収容する第１ハウジングと、この第１ハウジングに嵌合可能な第２ハウジングと、この第２ハウジングに収容され前記第１ハウジングと前記第２ハウジングとの正規嵌合状態で前記一対の接触部に接触される被接触部がそれぞれ設けられた一対の相手端子とを備えた嵌合検知コネクタであって、前記一対の相手端子の被接触部のうち一方には、前記一対の相手端子の被接触部が前記一対の接触部に接触される前に、前記第１ハウジングと前記第２ハウジングとの嵌合により前記一対の接触部と摺動する摺動部が設けられていることを特徴とする。
【００１１】
この嵌合検知コネクタでは、一対の相手端子の被接触部のうち一方に一対の相手端子の被接触部が一対の接触部に接触される前に、第１ハウジングと第２ハウジングとの嵌合により一対の接触部と摺動する摺動部が設けられているので、摺動部が一対の接触部と摺動しても、端子を介して一対の相手端子が導通されることがない。
【００１２】
このため、第１ハウジングと第２ハウジングとが正規嵌合状態となる前に、摺動部によって一対の接触部の表面に付着したゴミや表面に形成された酸化皮膜などの不純物を除去することができる。
【００１３】
従って、このような嵌合検知コネクタでは、端子と相手端子との導通不良を防止でき、ハウジング同士の嵌合状態の検知性を向上することができる。
【００１４】
請求項２記載の発明は、請求項１記載の嵌合検知コネクタであって、前記一対の相手端子の被接触部は、前記第１ハウジングと前記第２ハウジングとの嵌合方向と直交する方向に並列に配置され、前記摺動部は、他方の相手端子の被接触部より前記第１ハウジングと前記第２ハウジングとの嵌合方向の前側に位置されていることを特徴とする。
【００１５】
この嵌合検知コネクタでは、摺動部が他方の相手端子の被接触部より第１ハウジングと第２ハウジングとの嵌合方向の前側に位置されているので、簡易な構造で一対の相手端子の被接触部が一対の接触部に接触される前に、確実に一対の接触部と摺動部とを摺動させることができる。
【００１６】
請求項３記載の発明は、請求項１又は２記載の嵌合検知コネクタであって、前記端子には、前記一対の接触部が設けられ前記一対の接触部を付勢力によって前記一対の相手端子の被接触部に接触させる弾性片が設けられ、前記第１ハウジングと前記第２ハウジングとのうち少なくとも一方には、前記第１ハウジングと前記第２ハウジングとが正規嵌合状態となるまでの間に前記弾性片の付勢力に抗して前記弾性片を変位させる変位部が設けられていることを特徴とする。
【００１７】
この嵌合検知コネクタでは、第１ハウジングと第２ハウジングとのうち少なくとも一方に第１ハウジングと第２ハウジングとが正規嵌合状態となるまでの間に弾性片の付勢力に抗して弾性片を変位させる変位部が設けられているので、第１ハウジングと第２ハウジングとの半嵌合状態で、変位部による弾性片の変位によって一対の接触部と一対の相手端子の被接触部とが接触することがなく、第１ハウジングと第２ハウジングとの半嵌合状態を確実に検知することができる。
【発明の効果】
【００１８】
本発明によれば、端子と相手端子との導通不良を防止でき、ハウジング同士の嵌合状態の検知性を向上することができる嵌合検知コネクタを提供することができるという効果を奏する。
【図面の簡単な説明】
【００１９】
【図１】本発明の実施の形態に係る嵌合検知コネクタの斜視図である。
【図２】本発明の実施の形態に係る嵌合検知コネクタの第１ハウジングの断面図である。
【図３】（ａ）は本発明の実施の形態に係る嵌合検知コネクタの第２ハウジングの断面図である。（ｂ）は図３（ａ）の要部拡大図である。
【図４】（ａ）は本発明の実施の形態に係る嵌合検知コネクタの第１ハウジングと第２ハウジングとの嵌合開始における断面図である。（ｂ）は図４（ａ）の要部拡大図である。
【図５】本発明の実施の形態に係る嵌合検知コネクタの第１ハウジングと第２ハウジングとの嵌合途中における断面図である。
【図６】（ａ）は本発明の実施の形態に係る嵌合検知コネクタの第１ハウジングと第２ハウジングとの嵌合完了における断面図である。（ｂ）は図６（ａ）の要部拡大図である。
【発明を実施するための形態】
【００２０】
図１〜図６を用いて本発明の実施の形態に係る嵌合検知コネクタについて説明する。
【００２１】
本実施の形態に係る嵌合検知コネクタ１は、一対の接触部３，３が設けられた端子５と、この端子５を収容する第１ハウジング７と、この第１ハウジング７に嵌合可能な第２ハウジング９と、この第２ハウジング９に収容され第１ハウジング７と第２ハウジング９との正規嵌合状態で一対の接触部３，３に接触される被接触部１１，１１がそれぞれ設けられた一対の相手端子１３，１３とを備えている。
【００２２】
そして、一方の相手端子１３の被接触部１１には、一対の相手端子１３，１３の被接触部１１，１１が一対の接触部３，３に接触される前に、第１ハウジング７と第２ハウジング９との嵌合により一対の接触部３，３と摺動する摺動部１５が設けられている。
【００２３】
また、一対の相手端子１３，１３の被接触部１１，１１は、第１ハウジング７と第２ハウジング９との嵌合方向と直交する方向に並列に配置され、摺動部１５は、他方の相手端子１３の被接触部１１より第１ハウジング７と第２ハウジング９との嵌合方向の前側に位置されている。
【００２４】
さらに、端子５には、一対の接触部３，３が設けられ一対の接触部３，３を付勢力によって一対の相手端子１３，１３の被接触部１１，１１に接触させる弾性片１７が設けられ、第１ハウジング７には、第１ハウジング７と第２ハウジング９とが正規嵌合状態となるまでの間に弾性片１７の付勢力に抗して弾性片１７を変位させる変位部１９が設けられている。
【００２５】
図１〜図６に示すように、端子５は、薄板状の導電性材料を打ち抜き加工と折り曲げ加工とを施すことにより、基部２１に対して弾性片１７と、一対の接触部３，３とが設けられる。なお、端子５は、２つの導体間を接続させる短絡端子が用いられることが好ましい。
【００２６】
弾性片１７は、基部２１の一端側を折り曲げ加工することにより基部２１と連続する一部材で形成され、所定の付勢力を有して弾性変形可能に設けられている。この弾性片１７の先端部には、一対の接触部３，３が設けられている。
【００２７】
一対の接触部３，３は、弾性片１７の先端部にそれぞれ半円状となるように折り曲げ形成され、弾性片１７の先端部の幅方向に並列に配置されている。この一対の接触部３，３は、弾性片１７の付勢力によって第２ハウジング９に収容された一対の相手端子１３，１３の被接触部１１，１１に接触され、端子５と一対の相手端子１３，１３とを電気的に接続させる。
【００２８】
このような端子５は、基部２１が第１ハウジング７のロック部２３に設けられた挿入溝２５に挿入されてロック部２３に支持され、弾性片１７と一対の接触部３，３とが第１ハウジング７内部の収容室２７内に収容配置される。
【００２９】
第１ハウジング７は、合成樹脂などの絶縁性材料からなり、筐体状に形成され、収容室２７と、ロック部２３とを備えている。収容室２７は、第１ハウジング７内部の高さ方向の上側で幅方向の中央部に設けられ、端子５の弾性片１７と一対の接触部３，３とが収容配置されている。また、収容室２７のロック部２３の基端側に位置する壁部には、第２ハウジング９に収容された一対の相手端子１３，１３の被接触部１１，１１を支持するリブ２９を挿入可能な開口３１が設けられている。この収容室２７の上方には、ロック部２３が設けられている。
【００３０】
なお、収容室２７の高さ方向の下側と幅方向の両側には、電源や機器などに接続された電線３３の端部に接続された複数の雌端子３５が収容配置される複数の端子収容部３７が設けられている。この複数の端子収容部３７に収容された複数の雌端子３５は、係止ランス３９や端子収容部３７に挿入される二重係止部材４１などと係止することによって抜け止めがなされている。
【００３１】
ロック部２３は、収容室２７の開口３１側を基端として収容室２７の上方に揺動可能に設けられ、挿入溝２５と、係止凸部４３とを備えている。挿入溝２５は、ロック部２３の下面である収容室２７側に設けられ、端子５の基部２１が挿入されて端子５を支持する。このように挿入溝２５に端子５の基部２１を挿入して端子５を支持することにより、ロック部２３の揺動によって端子５の配置位置が変動される。
【００３２】
係止凸部４３は、ロック部２３の上面の中央部に設けられ、第２ハウジング９との嵌合方向の前側が傾斜面となっており、嵌合方向の後側が垂直面で形成された係止面となっている。この係止凸部４３は、第１ハウジング７と第２ハウジング９との嵌合時に、傾斜面が第２ハウジング９の被ロック部４５と当接することによってロック部２３を下方に向けて揺動させ、第１ハウジング７と第２ハウジング９との正規嵌合時に、係止面がロック部２３の上方への復元によって被ロック部４５に係止される。
【００３３】
なお、ロック部２３の先端側には、操作部４７が設けられており、操作部４７を下方に向けて押圧操作することによってロック部２３が下方に揺動され、係止凸部４３と被ロック部４５との係止が解除され、第１ハウジング７と第２ハウジング９との嵌合を解除することができる。
【００３４】
第２ハウジング９は、合成樹脂などの絶縁性材料からなり、筐体状に形成され、フード部４９と、リブ２９とを備えている。フード部４９は、第１ハウジング７との嵌合方向の前側が開口され、第２ハウジング９の幅方向に、ここでは３つ設けられ、各フード部４９に第１ハウジング７が嵌合可能となっている。また、フード部４９の開口端には、第１ハウジング７のロック部２３の係止凸部４３が当接及び係止される被ロック部４５が下方に向けて延設されている。このフード部４９内には、リブ２９が設けられている。
【００３５】
リブ２９は、フード部４９内において、一対の相手端子１３，１３が挿入される壁部から第１ハウジング７との嵌合方向の前側に向けて延設されている。このリブ２９は、フード部４９内に配置される一対の相手端子１３，１３の被接触部１１，１１を支持し、第１ハウジング７と第２ハウジング９とを嵌合させることにより、第１ハウジング７の開口３１から収容室２７内に挿入される。
【００３６】
なお、フード部４９には、基板５１に接続されたＬ字状の複数の雄端子５３の接続部が収容配置されている。この複数の雄端子５３は、第１ハウジング７と第２ハウジング９とが正規嵌合状態となることにより、第１ハウジング７に収容された複数の雌端子３５に電気的に接続される。
【００３７】
一対の相手端子１３，１３は、導電性材料からなり、Ｌ字状に形成され、一端側が基板５１に接続され、他端側がフード部４９内に挿入されてリブ２９上に支持される被接触部１１，１１となっている。また、被接触部１１，１１は、リブ２９上で、第１ハウジング７と第２ハウジング９との嵌合方向と直交する方向、詳細にはリブ２９の幅方向に並列に配置されている。この一対の相手端子１３，１３は、基板５１に形成された導通回路にそれぞれ接続され、被接触部１１，１１に端子５の一対の接触部３，３がそれぞれ接触することによって端子５を介して一対の相手端子１３，１３が電気的に接続される。
【００３８】
このような一対の相手端子１３，１３は、第１ハウジング７と第２ハウジング９とが正規嵌合状態となったときに、被接触部１１，１１に端子５の弾性片１７の付勢力によって一対の接触部３，３が接触されて導通される。この一対の相手端子１３，１３の導通の有無により、第１ハウジング７と第２ハウジング９との嵌合状態を検知することができる。このような端子５の弾性片１７は、第１ハウジング７に設けられた変位部１９によって変位される。
【００３９】
変位部１９は、第１ハウジング７の収容室２７内でロック部２３に対して対向して設けられ、ロック部２３側に突設された支点部５５を有する。この支点部５５は、端子５が第１ハウジング７に組付けられた状態で、端子５の弾性片１７に当接される。この支点部５５と端子５の弾性片１７との当接により、ロック部２３の揺動によって配置位置が変動される端子５の弾性片１７を付勢力に抗して変位させることができる。
【００４０】
詳細には、第１ハウジング７と第２ハウジング９との嵌合途中では、ロック部２３の下方への揺動によって端子５の配置位置が下方に変動されることにより、支点部５５が弾性片１７の付勢力に抗して弾性片１７を上方に変位させる。この弾性片１７の変位により、一対の接触部３，３と一対の相手端子１３，１３の被接触部１１，１１とが離間され、端子５と一対の相手端子１３，１３との導通が防止される。これにより、第１ハウジング７と第２ハウジング９とが半嵌合状態であることを検知することができる。
【００４１】
一方、第１ハウジング７と第２ハウジング９との正規嵌合状態では、ロック部２３の上方への揺動によって端子５の配置位置が上方に変動されることにより、弾性片１７の付勢力によって弾性片１７が下方に変位される。この弾性片１７の変位により、一対の接触部３，３が弾性片１７の付勢力によって一対の相手端子１３，１３の被接触部１１，１１に接触され、端子５を介して一対の相手端子１３，１３が導通される。これにより、第１ハウジング７と第２ハウジング９とが正規嵌合状態であることを検知することができる。
【００４２】
このように端子５の一対の接触部３，３に接触、或いは接触解除される一対の相手端子１３，１３の被接触部１１，１１のうち一方の被接触部１１には、一対の相手端子１３，１３の被接触部１１，１１が一対の接触部３，３に接触される前に、第１ハウジング７と第２ハウジング９との嵌合により一対の接触部３，３と摺動する摺動部１５が設けられている。
【００４３】
摺動部１５は、並列に配置された被接触部１１，１１のうち一方の被接触部１１の先端部から他方の被接触部１１より第１ハウジング７と第２ハウジング９との嵌合方向の前側に延設されると共に、被接触部１１，１１の配列方向に延設されている。また、摺動部１５の先端面は、第１ハウジング７と第２ハウジング９と嵌合方向の前側から後側に向けて上り傾斜となる傾斜面となっている。
【００４４】
この摺動部１５は、第１ハウジング７と第２ハウジング９とが嵌合を開始してからロック部２３が揺動を開始するまでの間に、第１ハウジング７と第２ハウジング９との嵌合による第１ハウジング７の開口３１へのリブ２９の挿入によって端子５の一対の接触部３，３と摺動する。この摺動部１５と一対の接触部３，３との摺動により、一対の接触部３，３の表面に付着したゴミや表面に形成された酸化皮膜などの不純物を除去することができ、不純物介在による一対の接触部３，３と一対の相手端子１３，１３の被接触部１１，１１との導通不良を防止することができる。
【００４５】
このように一対の接触部３，３と摺動する摺動部１５を一方の被接触部１１のみに設けることにより、一対の接触部３，３と摺動部１５とが摺動しても、端子５を介して一対の相手端子１３，１３が導通することがなく、第１ハウジング７と第２ハウジング９との半嵌合状態で、正規嵌合状態と誤認することを防止することができる。
【００４６】
一方、一対の接触部３，３と摺動部１５との摺動をロック部２３が揺動を開始する前に行うことにより、端子５の弾性片１７が変位部１９によって変位されることがなく、確実に一対の接触部３，３と摺動部１５とを摺動させることができる。
【００４７】
このように構成された嵌合検知コネクタ１は、まず、第１ハウジング７に端子５と各部材を組付けると共に、第２ハウジング９に一対の相手端子１３，１３と各部材を組付ける。次に、第１ハウジング７と第２ハウジング９とを嵌合させる。
【００４８】
第１ハウジング７と第２ハウジング９とが嵌合を開始してからロック部２３が揺動を開始するまでの間には、第１ハウジング７の開口３１から第２ハウジング９のリブ２９が挿入され、端子５の一対の接触部３，３と一方の被接触部１１の摺動部１５とが摺動する。この摺動により、一対の接触部３，３の表面の不純物が除去される。
【００４９】
第１ハウジング７と第２ハウジング９との嵌合途中では、ロック部２３の係止凸部４３が被ロック部４５の頂面に当接されロック部２３が下方に揺動され、端子５の配置位置が下方に変動される。この端子５の配置位置の変動により、変位部１９によって弾性片１７が上方に変位され、端子５の一対の接触部３，３と一対の相手端子１３，１３の被接触部１１，１１とが離間される。この接触解除により、端子５と一対の相手端子１３，１３との導通が防止され、第１ハウジング７と第２ハウジング９との半嵌合状態を検知することができる。
【００５０】
そして、第１ハウジング７と第２ハウジング９とが正規嵌合状態となったときには、ロック部２３の係止凸部４３が被ロック部４５に係止されロック部２３が上方に揺動され、端子５の配置位置が上方に変動される。この端子５の配置位置の変動により、弾性片１７が付勢力によって下方に変位され、弾性片１７の付勢力によって一対の接触部３，３が一対の相手端子１３，１３の被接触部１１，１１に接触される。この接触により、端子５を介して一対の相手端子１３，１３が導通され、第１ハウジング７と第２ハウジング９とが正規嵌合状態となったことを検知することができる。
【００５１】
このような嵌合検知コネクタ１では、一方の相手端子１３の被接触部１１に一対の相手端子１３，１３の被接触部１１，１１が一対の接触部３，３に接触される前に、第１ハウジング７と第２ハウジング９との嵌合により一対の接触部３，３と摺動する摺動部１５が設けられているので、摺動部１５が一対の接触部３，３と摺動しても、端子５を介して一対の相手端子１３，１３が導通されることがない。
【００５２】
このため、第１ハウジング７と第２ハウジング９とが正規嵌合状態となる前に、摺動部１５によって一対の接触部３，３の表面に付着したゴミや表面に形成された酸化皮膜などの不純物を除去することができる。
【００５３】
従って、このような嵌合検知コネクタ１では、端子５と相手端子１３との導通不良を防止でき、ハウジング７，９同士の嵌合状態の検知性を向上することができる。
【００５４】
また、摺動部１５は、他方の相手端子１３の被接触部１１より第１ハウジング７と第２ハウジング９との嵌合方向の前側に位置されているので、簡易な構造で一対の相手端子１３，１３の被接触部１１，１１が一対の接触部３，３に接触される前に、確実に一対の接触部３，３と摺動部１５とを摺動させることができる。
【００５５】
さらに、第１ハウジング７には、第１ハウジング７と第２ハウジング９とが正規嵌合状態となるまでの間に弾性片１７の付勢力に抗して弾性片１７を変位させる変位部１９が設けられているので、第１ハウジング７と第２ハウジング９との半嵌合状態で、変位部１９による弾性片１７の変位によって一対の接触部３，３と一対の相手端子１３，１３の被接触部１１，１１とが接触することがなく、第１ハウジング７と第２ハウジング９との半嵌合状態を確実に検知することができる。
【００５６】
なお、本発明の実施の形態に係る嵌合検知コネクタでは、第１ハウジングに端子の弾性片を変位させる変位部が設けられているが、第２ハウジングに変位部を設けてもよい。この場合には、例えば、第２ハウジングのリブにおいて、摺動部と他方の被接触部との間で一対の接触部間に挿入可能なように変位部を上方に向けて突設させ、一対の接触部と摺動部とが摺動した後に、変位部によって弾性片を変位させればよい。
【符号の説明】
【００５７】
１…嵌合検知コネクタ
３…接触部
５…端子
７…第１ハウジング
９…第２ハウジング
１１…被接触部
１３…相手端子
１５…摺動部
１７…弾性片
１９…変位部
【図１】
2014229462.tif 000003
【図２】
2014229462.tif 000004
【図３】
2014229462.tif 000005
【図４】
2014229462.tif 000006
【図５】
2014229462.tif 000007
【図６】
2014229462.tif 000008